(57)【要約】【課題】  買い物を行う店内ではそのままショッピングカートとして利用可能であり、また店外では通常のキャリーバックとして携行することができ、しかも容易に自動車に載せることも可能とする。【解決手段】二つの方形枠体３．４で構成された主体部２と、主体部２の方形枠体３・４を拡げたり、縮めたりする拡縮手段５と、主体部２の上側に設けられた持ち手６と、前記拡縮手段５によって主体部２の上部に形成自在なカゴ台７と、主体部２の下部に形成されたバッグ搭載部８と、バッグ搭載部８に取り付けられるバッグＢと、方形枠体３・４の下部に取り付けられた車輪１１とを有する。【選択図】  図１
2015089765.tif 000002
【特許請求の範囲】
【請求項１】
二つの方形枠体で構成された主体部と、主体部の方形枠体を拡げたり、縮めたりする拡縮手段と、主体部の上側に設けられた持ち手と、主体部の上部に形成自在なカゴ台と、主体部の下部に形成されたバッグ搭載部と、バッグ搭載部に取り付けられるバッグと、方形枠体の下部に取り付けられた複数の車輪とを有する、ショッピングカート兼用キャリーバッグ。
【請求項２】
主体部が拡縮手段としてのヒンジを介して前後二つの方形枠体で構成され、カゴ台が両方形枠体における対向する上枠部材間に渡し止められ、バッグ搭載部が両方形枠体における対向する下枠部材間に屈曲自在に設けられ、持ち手が前側方形枠体の上枠部材から上方に延成され、車輪が両方形枠体の下角部にそれぞれ軸支されていることを特徴とする、請求項１記載のショッピングカート兼用キャリーバッグ。
【請求項３】
主体部が縦の方形枠体と該枠体の下端から前方に伸びる横の方形枠体で構成され、横方形枠体が前後方向に拡縮自在な対向する二つの凹形枠部材で構成されており、カゴ台は、縦方形枠体における両側枠部材の上部に、上端または下端が軸支された左右一対の略棒状受け部材或いは下縁が軸支された略板状受け部材とこれらを支持するブラケットとで構成され、バッグ搭載部が横方形枠体上に形成され、持ち手が縦方形枠体から上方に延成され、車輪が横方形枠体の各角部にそれぞれ軸支されていることを特徴とする、請求項１記載の。
【請求項４】
バッグが伸縮自在なものとなされている、請求項１〜請求項３のうちのいずれか一項記載のショッピングカート兼用キャリーバッグ。
【請求項５】
車輪が主体部の下部に合計四輪取り付けられている、請求項１〜請求項４のうちのいずれか一項記載のショッピングカート兼用キャリーバッグ。
【発明の詳細な説明】
【技術分野】
【０００１】
本発明は、ショッピングカートとしても使用することができるキャリーバッグに関する。
【背景技術】
【０００２】
従来、全体的な形態が三輪車であって、ショッピングカートとしても利用できるものが知られている。具体的には、前側に一輪が取り付けられ、後側に二輪が取り付けられた本体フレームと、本体フレームの前端に一体に立設されたハンドル軸と、ハンドル軸に取り付けられたハンドルと、本体フレームの前後方向中央部分に設置されたサドルと、ハンドル軸の前側にある前荷台上に設置された前カゴと、本体フレームの後側にある後荷台上に設置された後カゴとを備えた三輪車であって、ハンドルを１８０°回転させて前記前カゴを後側へ反転させることでショッピングカートとしても使用できるものが知られている。
【０００３】
また、この他、上端にハンドルを、下端には前輪を有する左右一対の前脚杆と、前脚杆に連結されると共に、下端に後輪を有する左右一対の後脚杆と、から成る老人車において、その前面に袋部を着脱自在に取り付けると共に、後面に座席部を有する枠杆を、左右の前脚杆にわたり起倒自在に取り付け、座席部を前記枠杆上にスライド自在にすると共に、枠杆と座席部にわたり引き張りバネを取り付けて、座席部に対して引き張り力を与えると共に、前脚杆にカム板を取り付け、カム板及び座席部に取りつけたピンにより、前記枠杆を起した状態及び倒した状態でそれぞれロックできるようにしたショッピングカート的な形態の老人車が知られている。
【先行技術文献】
【特許文献】
【０００４】
【特許文献１】特許第３０８０９５３号公報
【特許文献２】特許第５１１０４５３号公報
【発明の概要】
【発明が解決しようとする課題】
【０００５】
一般的なキャリーバッグは、方形枠状の主体部の上部に持ち手が設けられ、主体部の下端寄り部分にはバッグを載置する受け部が前方に突設され、主体部の下端には左右一対の車輪が取り付けられている。
【０００６】
前述した構造の一般的なキャリーバッグは、外出先で買った食品等の荷物を家まで持って帰る際に便利なものであるが、買い物をするスーパーマーケットやホームセンター等の店内では、店舗の入口に配置されているショッピングカートを利用することとなる。この場合、キャリーバッグの携行者は、キャリーバッグとショッピングカートの両方を携行して買い物を行う必要があるため、店内を移動するのが困難となり、また老人等にとっては彼此、重労働となり易い。またこのような事態を回避するためには、キャリーバッグを前記ショッピングカートの配置場所周辺に置くか、或いはショッピングカートを利用せずに、キャリーバッグと共に店内カゴを手で持って店内を移動する必要があるが、前者の場合はキャリーバッグが盗まれるおそれがあり、後者の場合は店内カゴとキャリーバッグの両方を持つため、常時、両手が塞がった状態となって、店内に陳列されている商品を手に取り難いという不都合が生ずる。
【０００７】
また、前述した従来例に係る三輪車タイプのショッピングカートの場合、その全体サイズが大きくなることから、混雑した店内での使用には不向きであり、また他の買い物客との衝突の危険も考えられ、更に買い物を終わった後に自動車に載せて帰宅することができないという欠点もある。
【０００８】
一方、前述した従来例のうち、後者の老人車は、その外形がショッピングカート様となるものの、店内でその袋部に商品を入れた場合、万引きと誤解されるおそれがあるため、店内では実際にショッピングカートとして利用できず、結局、店舗専用のショッピングカートを利用しなければならず、そのため前述した一般的なキャリーバッグと同様の不都合を生ずるものであった。
【０００９】
本発明の目的は、買い物を行う店内でもそのままショッピングカートとして利用可能であり、また店外では通常のキャリーバックとして携行することができ、しかも容易に自動車に載せることも可能なショッピングカート兼用キャリーバッグを提供することにある。
【課題を解決するための手段】
【００１０】
請求項１記載の本発明は、二つの方形枠体で構成された主体部と、主体部の方形枠体を拡げたり、縮めたりする拡縮手段と、主体部の上側に設けられた持ち手と、主体部の上部に形成自在なカゴ台と、主体部の下部に形成されたバッグ搭載部と、バッグ搭載部に取り付けられるバッグと、方形枠体の下部に取り付けられた複数の車輪とを有するショッピングカート兼用キャリーバッグである。
【００１１】
請求項２記載の本発明は、前記請求項１記載のショッピングカート兼用キャリーバッグについて、主体部が拡縮手段としてのヒンジを介して前後二つの方形枠体で構成され、カゴ台が両方形枠体における対向する上枠部材間に渡し止められ、バッグ搭載部が両方形枠体における対向する下枠部材間に屈曲自在に設けられ、持ち手が前側方形枠体の上枠部材から上方に延成され、車輪が両方形枠体の下角部にそれぞれ軸支されていることを特徴とするものである。
【００１２】
請求項３記載の本発明は、前記請求項１記載のショッピングカート兼用キャリーバッグについて、主体部が縦の方形枠体と該枠体の下端から前方に伸びる横の方形枠体で構成され、横方形枠体が前後方向に拡縮自在な対向する二つの凹形枠部材で構成されており、カゴ台は縦方形枠体における両側枠部材の上部に、上端または下端が軸支された左右一対の略棒状受け部材或いは下縁が軸支された略板状受け部材とこれらを支持するブラケットとで構成され、バッグ搭載部が横方形枠体上に形成され、持ち手が縦方形枠体から上方に延成され、車輪が横方形枠体の各角部にそれぞれ軸支されていることを特徴とするものである。
【００１３】
請求項４記載の本発明は、前記請求項１〜請求項３のうちのいずれか一項記載のショッピングカート兼用キャリーバッグについて、バッグが伸縮自在なものとなされている。なお、本発明において、バッグは袋状のものの他、ボックス状のものであっても良い。
【００１４】
請求項５記載の本発明は、前記請求項１〜請求項４のうちのいずれか一項記載のショッピングカート兼用キャリーバッグについて、車輪が主体部の下部に合計四輪取り付けられているものである。
【発明の効果】
【００１５】
本発明のショッピングカート兼用キャリーバッグによれば、買い物の行き帰りには主体部を縮小状態にすると共にカゴ台が形成されていない状態として通常のキャリーバッグと同様に使用することができ、しかも自動車にも載せることが可能であるという利点が得られる。
【００１６】
一方、買い物を行う店内では、主体部を拡げると共にカゴ台を形成して該カゴ台にカゴを載せてショッピングカートとして使用することができるため、従来のように、店内専用のショッピングカートとキャリーバッグの両方を携行する必要がなくなり、本発明のショッピングカート兼用キャリーバッグだけで買い物を行うことができる。そのため店内の移動が容易である上、陳列されている商品を容易に手に取ることが可能となり、また従来のように、キャリーバッグをお店の入口周辺に置いておく必要もないため、盗難のおそれもない。
【００１７】
更に、従来の三輪車タイプのショッピングカートのような全体サイズが大型のものではなく、従来のキャリーバッグとほぼ同様の全体サイズで買い物ができるため、混雑した店内でも容易に移動させて買い物を楽しむことができる。
【００１８】
また、本発明のショッピングカート兼用キャリーバッグは、下部にバッグを載置する一方、これとは別にお店のカゴをカゴ台に載せてカゴに購入する商品を随時入れていくため、従来のキャリーバッグのように万引きと誤認されるおそれもなく、安心して買い物を楽しむことができる。
【００１９】
この他、主体部の下部に車輪が合計四輪取り付けられた本発明のショッピングカート兼用キャリーバッグは、より安定的に手押し車として使用することができるため、歩行機能が低下した老人の安定した歩行の補助やリハビリテーションに寄与し得る。
【図面の簡単な説明】
【００２０】
【図１】本発明の実施形態１におけるキャリーバッグ形態の斜視図であって、前側車輪を浮かせた状態を示す。
【図２】同じく実施形態１におけるキャリーバッグ形態の斜視図であって、各車輪を地面に当接させている状態を示す。
【図３】図２のキャリーバッグの背面側斜視図である。
【図４】同実施形態におけるショッピングカート形態の斜視図であって、カゴを載せる前の状態を示す。
【図５】同実施形態におけるショッピングカート形態の斜視図であって、カゴを載せた状態を示す。
【図６】図５のショッピングカート形態での背面側斜視図である。
【図７】本発明の実施形態２におけるキャリーバッグ形態の斜視図である。
【図８】図７のキャリーバッグ形態での背面側斜視図である。
【図９】同実施形態におけるショッピングカート形態の斜視図であって、カゴを載せる前の状態を示す。
【図１０】同実施形態におけるショッピングカート形態の斜視図であって、カゴを載せた状態を示す。
【図１１】本発明の実施形態３におけるキャリーバッグ形態の斜視図である。
【図１２】図１１のキャリーバッグ形態での背面側斜視図である。
【図１３】同実施形態におけるショッピングカート形態の斜視図であって、カゴを載せる前の状態を示す。
【図１４】同実施形態におけるショッピングカート形態の斜視図であって、カゴを載せた状態を示す。
【発明を実施するための形態】
【００２１】
次に、本発明の実施形態を図面にしたがって説明するが、本発明はかかる実施形態に限定されるものではない。
【００２２】
（実施形態１）
【００２３】
図１〜図６に示すように、本実施形態に係るショッピングカート兼用キャリーバッグ１は、その基本構造として、二つの方形枠体３・４で構成された主体部２と、主体部２の方形枠体３・４同士を拡げたり、縮めたりする拡縮手段５と、主体部２の上側に設けられた持ち手６と、主体部２の上部に形成自在なカゴ台７と、主体部２の下部に形成されたバッグ搭載部８と、バッグ搭載部８に取り付けられる膨縮自在なバッグ９と、方形枠体３・４の角部３ａ・４ａに取り付けられた車輪１１とを有する。
【００２４】
そして、図２および図４に示すように、前記主体部２において、本実施形態では拡縮手段５としてのヒンジを介して前後二つの方形枠体３・４が拡縮自在な構成となされ、カゴ台７は方形枠体３・４における対向する上枠部材３ｂ・４ｂ間に設けられ、バッグ搭載部８は、両方形枠体３・４の対向する下枠部材３ｃ・４ｃ間において複数の線材により屈曲・開離自在な面状に設けられている。
【００２５】
前記持ち手６は、より詳細には前側方形枠体３の上枠部材３ｂから上方に伸びる略Ｕ字状となされ、前記車輪１１は、より詳細には、方形枠体３・４の各下角部３ａ・４ａに軸支された合計４輪構成となされている。
【００２６】
また、前記カゴ台７は、本実施形態では、全体が略Ｕ字状であって、その両端部分のヒンジ１３を介して前側方形枠体３の上枠部材３ｂに回動可能に取り付けられ、且つその他端部が後側方形枠体４の上枠部材４ｂに係止自在となされている。また、カゴ台７の前後縁にはカゴＢのストッパ部７ａ・７ｂが一体に形成されている。
【００２７】
次に、本実施形態に係るショッピングカート兼用キャリーバッグ１の使用要領について説明する。
【００２８】
図１〜図３に示すように、キャリーバッグ１として使用する場合には、カゴ台７を垂下させて主体部２を構成する前側方形枠体３と後側方形枠体４およびバッグ９を縮小させた状態として、通常のキャリーバッグと同様、持ち手６を握って携行することができ、しかもこのまま自動車に載せることも可能である。
【００２９】
図４〜図６に示すように、例えばスーパーマーケット等の店内で買い物をする際には、主体部２を構成する前側方形枠体３と後側方形枠体４とを拡げると共に、両方形枠体３・４の上枠部材３ｂ・４ｂ間にカゴ台７を掛け渡すだけでショッピングカート形態となり、そして、前記カゴ台７上に買い物カゴＢを載せて、該買い物カゴＢ内に購入する商品を随時入れていくことができる。そのため、本発明のショッピングカート兼用キャリーバッグ１は、店舗に用意されている専用のショッピングカートを用いることなく、携行してきた当該キャリーバッグ１だけで買い物を行うことが可能である。
【００３０】
そして、買い物が終わって店内の精算場所に行き、精算が終わった後には、カゴＢに入っている購入済みの商品を拡大させた下のバッグ９に入れ、カゴＢをカゴ台７から取り除いた後、再びカゴ台７を垂下させて主体部２を構成する前側方形枠体３と後側方形枠体４およびバッグ９をなるべく縮小させた状態とするだけでキャリーバッグ１の形態となり、これを携行して帰宅等するか、或いは当該キャリーバッグ１をそのまま自動車に載せて帰宅等することもできる。
【００３１】
（実施形態２）
【００３２】
図７〜図１０に示すように、本実施形態のショッピングカート兼用キャリーバッグ２１も前述した実施形態１と同様の基本構造を有するものである。
【００３３】
すなわち、本実施形態のショッピングカート兼用キャリーバッグ２１は、その基本構造として、二つの方形枠体２３・２４で構成された主体部２２と、主体部２２の方形枠体２３・２４を拡げたり、縮めたりする拡縮手段２５と、主体部２２の上側に設けられた持ち手２６と、主体部２２の上部に形成自在なカゴ台２７と、主体部２２の下部に形成されたバッグ搭載部２８と、バッグ搭載部２８に取り付けられるバッグ２９と、主体部２２の方形枠体２４の角部２４ａに取り付けられた車輪２０とを有する。
【００３４】
そして、図８および図９に示すように、本実施形態では、主体部２２が、縦の方形枠体２３と該枠体２３の下端から前方に伸びる横の方形枠体２４で構成され、横方形枠体２４が前後方向に拡縮自在な対向する二つの凹形枠部材２４Ａ・２４Ｂで構成されており、縦枠部材２３における両側枠部材２３ｃの上部に、上端が軸支された左右一対の略棒状受け部材２７ａとこれを支持するブラケット２７ｂとで構成されたカゴ台２７が前方に突出自在に設けられ、横方形枠体２４上に前記バッグ搭載部２８が載置され、持ち手２６は縦方形枠体２３の上側に延成されており、また車輪２０は、より詳細には横方形枠体２４の各角部２４ａに軸支された合計四輪構成とされている。なお、図中２７ｃは略棒状受け部材２７ａの先端部に屈曲状に形成されたストッパを示す。また、略棒状受け部材２７ａは、本実施形態では、前述した通り、上端が両側枠部材２３ｃの上部に軸支された構成としたが、同下端が両側枠部材２３ｃに軸支される構成としても良い。
【００３５】
次に、本実施形態に係るショッピングカート兼用キャリーバッグ２１の使用要領について説明する。
【００３６】
図７〜図８に示すように、キャリーバッグ２１として使用する場合には、カゴ台２７を構成する受け部材２７ａおよびブラケット２７ｂを垂下させると共に横方形枠体２４を縮小させた状態として、通常のキャリーバッグと同様、持ち手２６を握って携行することができ、しかもこのまま自動車に載せることも可能である。
【００３７】
図９および図１０に示すように、例えばスーパーマーケット等の店内で買い物をする際には、横方形枠体２４を拡げると共に、カゴ台２７の受け部材２７ａを前方に拡げるだけでショッピングカート形態となり、そして、図１０に示すように、前記カゴ台２７の受け部材２７ａ上に買い物カゴＢを載せて、該買い物カゴＢに購入する商品を随時入れていくことができる。そのため、本発明のショッピングカート兼用キャリーバッグ２１も、店舗に用意されている専用のショッピングカートを用いることなく、携行してきた当該キャリーバッグ２１だけで買い物を行うことが可能である。
【００３８】
そして、買い物が終わって店内の精算場所に行き、精算が終わった後には、カゴＢに入っている購入済み商品を下のバッグ２９に入れ、カゴＢをカゴ台２７から取り除いた後、再びカゴ台２７の受け部材２７ａおよびブラケット２７ｂを垂下させると共に、横方形枠体２４を縮小させるだけでキャリーバッグ２１の形態となり、これを携行して帰宅等するか、或いは当該キャリーバッグ２１を自動車に載せて帰宅等することもできる。
（実施形態３）
図１１〜図１４に示すように、本実施形態のショッピングカート兼用キャリーバッグ３１は、その基本構造が、前記実施形態２と同様であり、したがって、基本構造については、前記実施形態２と同様の符号を付すことによって説明を省略する。
本実施形態のショッピングカート兼用キャリーバッグ３１では、カゴ台３７が、縦方形枠体２３における両側枠部材２３ｃの上部間に、下縁が軸支された略板状受け部材３７ａとこれを支持するブラケット３７ｂとで構成されている。
そして、図１１および図１２に示すように、カゴ台３７を使用しない場合には略板状受け部材３７ａとブラケット３７ｂを持ち手２６内に嵌め入れた状態とし、カゴ台３７を使用する場合には、図１３および図１４に示すように、略板状受け部材３７ａとブラケット３７ｂを持ち手２６の前方へほぼ水平に倒してカゴ台３７を形成し、これにカゴＢを載置すれば良い。なお、図中３７ｃは略板状受け部材３７ａの先端寄り部分に形成されたストッパを示す。
【産業上の利用可能性】
【００３９】
本発明に係るショッピングカート兼用キャリーバッグは、前述した通り、キャリーバッグとしての利便性を高める一方、ショッピングカートとしても使用することができ、一台二役となるため、老人は勿論、老若男女を問わず、幅広い利用が期待できる。
【符号の説明】
【００４０】
２・２２  主体部
３・４・２３・２４  方形枠体
５  中央ヒンジ
６・２６  持ち手
７・２７・３７  カゴ台
８・２８  バッグ搭載部
９・２９  バッグ
１１・２０  車輪
Ｂ  カゴ
【図１】
2015089765.tif 000003
【図２】
2015089765.tif 000004
【図３】
2015089765.tif 000005
【図４】
2015089765.tif 000006
【図５】
2015089765.tif 000007
【図６】
2015089765.tif 000008
【図７】
2015089765.tif 000009
【図８】
2015089765.tif 000010
【図９】
2015089765.tif 000011
【図１０】
2015089765.tif 000012
【図１１】
2015089765.tif 000013
【図１２】
2015089765.tif 000014
【図１３】
2015089765.tif 000015
【図１４】
2015089765.tif 000016